(57)【要約】【課題】検査精度が低下する可能性を低減する検査チップを提供する。【解決手段】検査チップ２は、測定部３９０と廃液部７００とを備えている。測定部３９０は、第一方向に開口する凹部であり、第二方向に廃液を流出させる流出端部３９１を備えている。廃液部７００は、第一廃液部７１０、第二廃液部７２０、第三廃液部７３０、及び廃液保持部７４０を備えている。第一廃液部７１０は、流出端部３９１に接続され、第三方向に延びる。第二廃液部７２０は、第二方向の端部が第一廃液部７１０における第三方向の端部に接続され、測定部３９０より第三方向を第四方向に延びる。第三廃液部７３０は、第三方向の端部が第二廃液部７２０における第四方向の端部に接続され、第一方向に延びる。廃液保持部７４０、第三廃液部７３０の第二方向に配置され、第三方向に凹む。【選択図】図３
2016194448.tif 000002
【特許請求の範囲】
【請求項１】
第一方向に開口する凹部であり、前記第一方向と直交する方向のうちの一方向である第二方向に廃液を流出させる流出端部を有し、検査液体が含まれる液体が測定される測定部と、
前記流出端部に接続され、前記第一方向の反対方向である第三方向に延びる第一廃液部と、
前記第一廃液部の前記第二方向の反対方向である第四方向に配置され、前記第二方向の端部が前記第一廃液部における前記第三方向の端部に接続され、前記測定部より前記第三方向に位置し、前記第四方向に延びる第二廃液部と、
前記第二廃液部の前記第四方向に配置され、前記第三方向の端部が前記第二廃液部における前記第四方向の端部に接続され、前記第一方向に延びる第三廃液部と、
前記第三廃液部の前記第二方向に配置され、前記第三廃液部における前記第一方向の端部に接続された保持部であって、前記第三方向に凹む廃液保持部と
を備えたことを特徴とする検査チップ。
【請求項２】
前記第二廃液部における前記第一方向の壁部は、前記第四方向の端部に、前記第三廃液部と前記廃液保持部との間の第一隔壁より前記第四方向に突出する突出部を備えたことを特徴とする請求項１に記載の検査チップ。
【請求項３】
前記第二廃液部と前記第三廃液部との第一接続部に設けられ、前記第一方向と前記第二方向とに直交する方向における前記第三廃液部の深さを、前記第二廃液部の深さより深くする第一段差部を備えたことを特徴とする請求項１又は２に記載の検査チップ。
【請求項４】
前記第一段差部の稜線は、前記第二廃液部における前記第一方向の壁部の前記第四方向の先端から、前記第四方向に傾斜しつつ前記第三方向に延びることを特徴とする請求項３に記載の検査チップ。
【請求項５】
前記第一廃液部と前記第二廃液部との第二接続部に設けられ、前記第一方向と前記第二方向とに直交する方向における深さを、前記第四方向に向かうほど浅くする第二段差部を備え、
前記第二段差部の前記第二方向の端部である段差端部の前記第二方向における位置は、前記測定部と前記第一廃液部との間の第二隔壁における前記第二方向の端部の位置より、前記第四方向に位置することを特徴とする請求項１から４のいずれかに記載の検査チップ。
【発明の詳細な説明】
【技術分野】
【０００１】
本発明は、検査チップに関する。
【背景技術】
【０００２】
従来、検体に試薬を加えて検査を行う検査チップが知られている。検査チップを用いる検査には、検査チップにおいて酵素反応によって生じた蛍光物質又は呈色物質に、検出光が照射され光学測定が行われる検査がある。例えば、特許文献１に記載の円盤型分析チップは、ＥＬＩＳＡ（Ｅｎｚｙｍｅ−ｌｉｎｋｅｄ  ｉｍｍｕｎｏｓｏｒｂｅｎｔ  ａｓｓａｙ）法に用いられる検査チップである。円盤型分析チップは、抗体修飾ビーズを保持する第７槽を備えている。第７槽の下流側には、第８槽が設けられている。第７槽には、ＥＬＩＳＡ法による検査を行うための複数の種類の液体が、遠心力によって順次供給される。第７槽に供給された複数の種類の液体は、第８槽に順次廃液される。検査が行われる場合には、酵素反応によって第７槽内において生じた蛍光物質に検出光が照射され、光学測定が行われる。
【先行技術文献】
【特許文献】
【０００３】
【特許文献１】特開２０１３−５０４３５号公報
【発明の概要】
【発明が解決しようとする課題】
【０００４】
検出光が照射されて検査が行われる場合には、検査チップに遠心力が作用しないので、廃液部である第８槽の液体が、測定部である第７槽側に逆流する可能性がある。このため、検査精度が低下する可能性があった。
【０００５】
本発明の目的は、検査精度が低下する可能性を低減する検査チップを提供することである。
【課題を解決するための手段】
【０００６】
本発明に係る検査チップは、第一方向に開口する凹部であり、前記第一方向と直交する方向のうちの一方向である第二方向に廃液を流出させる流出端部を有し、検査液体が含まれる液体が測定される測定部と、前記流出端部に接続され、前記第一方向の反対方向である第三方向に延びる第一廃液部と、前記第一廃液部の前記第二方向の反対方向である第四方向に配置され、前記第二方向の端部が前記第一廃液部における前記第三方向の端部に接続され、前記測定部より前記第三方向に位置し、前記第四方向に延びる第二廃液部と、前記第二廃液部の前記第四方向に配置され、前記第三方向の端部が前記第二廃液部における前記第四方向の端部に接続され、前記第一方向に延びる第三廃液部と、前記第三廃液部の前記第二方向に配置され、前記第三廃液部における前記第一方向の端部に接続された保持部であって、前記第三方向に凹む廃液保持部とを備えている。
【０００７】
この場合、第二方向に遠心力が作用すると、測定部から第一廃液部に廃液が流れる。次いで、例えば、第一方向に開口した測定部に新たな液体を流入させるために、第三方向に遠心力が作用すると、第一廃液部の廃液が第三方向に移動し、さらに第二廃液部を通って第四方向に移動し、第三廃液部に到達する。次いで、第二方向に遠心力が作用すると、少なくとも一部の第三廃液部の廃液が第一廃液部に戻らずに、廃液保持部に移動し、保持される。このため、第一廃液部に残る廃液の量が減る。よって、第一〜第三廃液部を介して測定部と廃液保持部とが接続されていない検査チップよりも、廃液が測定部に逆流し難い。故に、廃液が測定部に逆流して検査精度が低下する可能性を低減できる。
【０００８】
前記検査チップにおいて、前記第二廃液部における前記第一方向の壁部は、前記第四方向の端部に、前記第三廃液部と前記廃液保持部との間の第一隔壁より前記第四方向に突出する突出部を備えてもよい。
【０００９】
前記検査チップは、前記第二廃液部と前記第三廃液部との第一接続部に設けられ、前記第一方向と前記第二方向とに直交する方向における前記第三廃液部の深さを、前記第二廃液部の深さより深くする第一段差部を備えてもよい。
【００１０】
前記検査チップにおいて、前記第一段差部の稜線は、前記第二廃液部における前記第一方向の壁部の前記第四方向の先端から、前記第四方向に傾斜しつつ前記第三方向に延びてもよい。
【００１１】
前記検査チップは、前記第一廃液部と前記第二廃液部との第二接続部に設けられ、前記第一方向と前記第二方向とに直交する方向における深さを、前記第四方向に向かうほど浅くする第二段差部を備え、前記第二段差部の前記第二方向の端部である段差端部の前記第二方向における位置は、前記測定部と前記第一廃液部との間の第二隔壁における前記第二方向の端部の位置より、前記第四方向に位置してもよい。
【図面の簡単な説明】
【００１２】
【図１】検査装置１及び制御装置９０を含む検査システム３の構成を示す図である。
【図２】検査チップ２の正面図である。
【図３】検査チップ２の要部拡大図である。
【図４】図２のＡ−Ａ線矢視方向断面図である。
【図５】遠心処理における検査チップ２の状態遷移図である。
【図６】図５の続きの状態遷移図である。
【図７】図６の続きの状態遷移図である。
【発明を実施するための形態】
【００１３】
本発明を具体化した実施形態について、図面を参照して説明する。尚、図１は、検査システム３を構成する検査装置１の平面及び制御装置９０の内部の機能ブロックを示している。
【００１４】
＜１．検査システム３の概略構造＞
図１を参照して、検査システム３の概略構造について説明する。本実施形態の検査システム３は、液体である試薬を収容可能な検査チップ２と、検査チップ２を用いて検査を行う検査装置１とを含む。検査装置１が検査チップ２から離間した垂直軸線Ａ１を中心として検査チップ２を回転させると、遠心力が検査チップ２に作用する。検査装置１が水平軸線Ａ２を中心に検査チップ２を回転させると、検査チップ２に作用する遠心力の方向である遠心方向が切り替えられる。尚、本実施形態の検査システム３及び検査装置１は、特開２０１２−７８１０７号公報に記載されているように周知の構造であるので、以下の説明では、検査装置１の構造の概略について説明する。
【００１５】
＜２．検査装置１の構造＞
図１を参照して、検査装置１の構造について説明する。以下の説明では、図１の上方、下方、右方、左方、紙面手前側、及び紙面奥側を、夫々、検査装置１の前方、後方、右方、左方、上方、及び下方とする。本実施形態では、垂直軸線Ａ１の方向は検査装置１の上下方向であり、水平軸線Ａ２の方向は、検査チップ２が垂直軸線Ａ１を中心として回転される際の速度の方向である。尚、図１は検査装置１の上部筐体３０の天板が取り除かれた状態を示す。
【００１６】
図１に示すように、検査装置１は、上部筐体３０、下部筐体２９、上板３２、ターンテーブル３３、角度変更機構３４、及び制御装置９０を備える。ターンテーブル３３は、後述する上板３２の上側に回転可能に設けられた円盤である。検査チップ２は、ターンテーブル３３の上方に保持される。角度変更機構３４は、ターンテーブル３３に設けられた駆動機構である。この角度変更機構３４は、水平軸線Ａ２を中心に検査チップ２を各々回転させる。上部筐体３０は、後述する上板３２に固定されており、検査チップ２に対して光学測定を行う測定部７が内部に設けられている。制御装置９０は、検査装置１の各種処理を制御するコントローラである。
【００１７】
下部筐体２９の概略構造を説明する。下部筐体２９は、枠部材を組み合わせた箱状のフレーム構造を有する。下部筐体２９の上面には、長方形の板材である上板３２が設けられている。下部筐体２９の内部には、垂直軸線Ａ１を中心にターンテーブル３３を回転させる駆動機構が、次のように設けられている。
【００１８】
下部筐体２９内の左方寄りに、ターンテーブル３３を回転させるための駆動力を供給する主軸モータ３５が設置されている。主軸モータ３５の軸３６は、上方に突出しており、プーリ３７が固定されている。下部筐体２９の中央部には、下部筐体２９の内部から上方に延びる垂直な主軸５７が設けられている。主軸５７は、上板３２を貫通して、下部筐体２９の上側に突出している。主軸５７の上端部は、ターンテーブル３３の中央部に接続されている。
【００１９】
主軸５７は、上板３２の直下に設けられた図示しない支持部材により、回転自在に保持されている。支持部材の下側では、主軸５７にプーリ３８が固定されている。プーリ３７とプーリ３８とに亘って、ベルト３９が掛け渡されている。主軸モータ３５が軸３６を回転させると、プーリ３７、ベルト３９、及びプーリ３８を介して駆動力が主軸５７に伝達される。このとき、主軸５７の回転に連動して、ターンテーブル３３が主軸５７を中心に回転する。
【００２０】
下部筐体２９内の右方寄りに、下部筐体２９の内部において上下方向に延びる図示しないガイドレールが設けられている。図示しないＴ型プレートは、ガイドレールに沿って下部筐体２９内において上下方向に移動可能である。
【００２１】
先述の主軸５７は、内部が中空の筒状体である。図示しない内軸は、主軸５７の内部において上下方向に移動可能な軸である。内軸の上端部は、主軸５７内を貫通してラックギア４３に接続されている。Ｔ型プレートの左端部には、図示しない軸受が設けられている。軸受の内部では、内軸の下端部が回転自在に保持される。
【００２２】
Ｔ型プレートの前方には、Ｔ型プレートを上下動させるためのステッピングモータ５１が固定されている。ステッピングモータ５１の軸５８は後方、すなわち図１では下方側に向けて突出している。軸５８の先端には、図示しない円盤状のカム板が固定されている。カム板の後側の面には、図示しない円柱状の突起が設けられている。突起の先端部は、図示しない溝部に挿入されている。突起は、溝部内を摺動可能である。ステッピングモータ５１が軸５８を回転させると、カム板の回転に連動して突起が上下動する。このとき、溝部に挿入されている突起に連動して、Ｔ型プレートがガイドレールに沿って上下動する。
【００２３】
角度変更機構３４の詳細構造を説明する。角度変更機構３４は、ターンテーブル３３の上面に固定された一対のＬ型プレート６０を有する。各Ｌ型プレート６０は、ターンテーブル３３の中心近傍に固定された基部から上方に延び、且つ、その上端部がターンテーブル３３の径方向外側に向けて延びている。一対のＬ型プレート６０の間には、内軸に固定された図示しないラックギア４３が設けられている。ラックギア４３は、上下方向に長い金属製の板状部材であり、両端面にギアが各々刻まれている。
【００２４】
各Ｌ型プレート６０の延設方向の先端側では、ギア４５を有する水平な支軸４６が回転自在に軸支されている。支軸４６は図示外の装着用ホルダを介して検査チップ２に固定されている。このため、ギア４５の回転に連動して検査チップ２も支軸４６を中心に回転する。ギア４５とラックギア４３との間には、Ｌ型プレート６０により図示略の水平軸線を中心に回転自在に支持されたピニオンギア４４が介在している。ピニオンギア４４は、ギア４５及びラックギア４３に夫々噛合している。ラックギア４３の上下動に連動して、ピニオンギア４４、及びギア４５が夫々従動回転し、ひいては検査チップ２が支軸４６を中心に回転する。
【００２５】
本実施形態では、主軸モータ３５がターンテーブル３３を回転駆動するのに伴って、検査チップ２が垂直軸である主軸５７を中心に回転して、検査チップ２に遠心力が作用される。検査チップ２の垂直軸線Ａ１を中心とした回転を、公転と呼ぶ。一方、ステッピングモータ５１が内軸を上下動させるのに伴って、検査チップ２が水平軸である支軸４６を中心に回転して、検査チップ２に作用する遠心力の方向が相対変化する。検査チップ２の水平軸線Ａ２を中心とした回転を、自転と呼ぶ。
【００２６】
Ｔ型プレートが可動範囲の最下端まで下降した状態では、ラックギア４３も可動範囲の最下端まで下降する。このとき、検査チップ２は、自転角度が０度の定常状態になる。また、Ｔ型プレートが可動範囲の最上端まで上昇した状態では、ラックギア４３も可動範囲の最上端まで上昇する。このとき、検査チップ２は、定常状態から水平軸線Ａ２を中心に１８０度回転した状態になる。つまり、本実施形態では検査チップ２が自転可能な角度幅は、自転角度０度〜１８０度である。
【００２７】
上部筐体３０の詳細構造を説明する。図１に示すように、上部筐体３０は、枠部材を組み合わせた箱状のフレーム構造を有し、上板３２の左部上側に設置されている。より詳細には、上部筐体３０は、ターンテーブル３３の回転中心にある主軸５７からみて、検査チップ２が回転される範囲の外側に設けられている。
【００２８】
上部筐体３０の内部に設けられた測定部７は、測定光を発光する光源７１と、光源７１から発せられた測定光を検出する光センサ７２とを有する。光源７１及び光センサ７２は、検査チップ２の回転範囲の外側において、ターンテーブル３３の前後両側に配置されている。本実施形態では、検査チップ２の公転可能範囲のうちで主軸５７の左側位置が、検査チップ２に測定光が照射される測定位置である。検査チップ２が測定位置にある場合、光源７１と光センサ７２とを結ぶ測定光が、検査チップ２の前面及び後面に対して略垂直に交差する。
【００２９】
＜３．制御装置９０の電気的構成＞
図１を参照して、制御装置９０の電気的構成について説明する。制御装置９０は、検査装置１の主制御を司るＣＰＵ１０１と、各種データを一時的に記憶するＲＡＭ１０２と、制御プログラムを記憶したＲＯＭ１０３とを有する。ＣＰＵ１０１には、ユーザが制御装置９０に対する指示を入力するための操作部１０４と、各種データ、及びプログラムを記憶するハードディスク装置１０５と、各種情報を表示するディスプレイ１０６とが接続されている。制御装置９０としては、パーソナルコンピュータを用いてもよいし、専用の制御装置を用いてもよい。
【００３０】
さらに、ＣＰＵ１０１には、公転コントローラ９７、自転コントローラ９８、及び測定コントローラ９９が接続されている。公転コントローラ９７は、主軸モータ３５を回転駆動させる制御信号を主軸モータ３５に送信することによって、検査チップ２の公転を制御する。自転コントローラ９８は、ステッピングモータ５１を回転駆動させる制御信号をステッピングモータ５１に送信することによって、検査チップ２の自転を制御する。測定コントローラ９９は、測定部７を駆動することによって、検査チップ２の光学測定を実行する。詳細には、測定コントローラ９９は、光源７１の発光、及び光センサ７２の光検出を実行させる制御信号を、光源７１及び光センサ７２に送信する。尚、ＣＰＵ１０１が公転コントローラ９７、自転コントローラ９８及び測定コントローラ９９を制御する。
【００３１】
＜４．検査チップ２の構造＞
図２を参照して、本実施形態に係る検査チップ２の詳細構造を説明する。以下の説明では、図２の上方、下方、左方、右方、紙面手前側、及び紙面奥側を、それぞれ、検査チップ２の上方、下方、左方、右方、前方、及び後方とする。本実施形態では、検査チップ２が使用され、ＥＬＩＳＡ法によって検査が行われる。
【００３２】
図２に示すように、検査チップ２は一例として前方から見た場合に上辺部８１、下辺部８４、右辺部８２、及び左辺部８３を有する正方形状であり、所定の厚みを有する透明な合成樹脂の板材１９を主体とする。検査チップ２の右上部には、上方に突出する突出部２０５が設けられている。突出部２０５は、例えば、ユーザによって把持される。検査チップ２の左上部には、左方に突出する突出部２０６が設けられている。
【００３３】
板材１９の前面２０３は、透明の合成樹脂の薄板から構成されたシート２９１によって封止されている。板材１９とシート２９１との間には、検査チップ２に封入された液体が流動可能な液体流路２５が形成されている。液体流路２５は、板材１９の前面２０３に所定深さに形成された凹部であり、板材１９の厚み方向である前後方向と直交する方向に延びる。シート２９１は、板材１９の流路形成面を封止する。シート２９１は、図２以外では図示を省略している。
【００３４】
液体流路２５は、検査液体保持部３１０、第一洗浄液保持部３２０、標識抗体液保持部３３０、第二洗浄液保持部３４０、基質溶液保持部３５０、停止液保持部３６０、共通受け部３７０、反応部３８０、測定部３９０、廃液部７００、第一受け部４５０、第二受け部４６０、第三受け部４７０、第四受け部５５０、注入路４８０，４９０．５００，５１０，５２０，５３０等を含む。検査液体保持部３１０、第一洗浄液保持部３２０、標識抗体液保持部３３０、第二洗浄液保持部３４０、基質溶液保持部３５０、停止液保持部３６０、反応部３８０、及び測定部３９０は、夫々下方向に凹み、上方に開口して形成されている。以下の説明においては、測定部３９０が開口する上方向を第一方向という場合があり、第一方向と直交する方向のうちの一方向である右方向を第二方向という場合がある。第一方向の反対方向である下方向を第三方向という場合があり、第二方向の反対方向である左方向を第四方向という場合がある。第一方向と第二方向とに直交する方向を深さ方向という場合がある。深さ方向は、板材１９の厚み方向である。
【００３５】
反応部３８０を形成する壁面には、固相化された抗体が配置されている。検査液体保持部３１０、第一洗浄液保持部３２０、標識抗体液保持部３３０、第二洗浄液保持部３４０、基質溶液保持部３５０、及び停止液保持部３６０は、夫々、検査液体９１、第一洗浄液９２、標識抗体液９３、第二洗浄液９４、基質溶液９５、停止液９６が保持される部位である。
【００３６】
検査液体９１は、例えば、血液、血漿、血球、骨髄、尿、膣組織、上皮組織、腫瘍、精液、唾液、動物の組織、動物の血液、又は食料品などの検査対象物質の成分を含む液体である。検査液体９１が、反応部３８０に流れると、固相化された抗体に、検査液体９１に含まれる検査対象物質が結合する。第一洗浄液９２は、反応部３８０において、抗体に結合していない検査液体９１の成分を除去する。標識抗体液９３は、酵素標識抗体を含む。酵素標識抗体は、酵素で標識された抗体である。標識抗体液９３が反応部３８０に流れると、検査対象物質と抗体との結合体に酵素標識抗体が特異的に結合する。
【００３７】
第二洗浄液９４は、反応部３８０において、検査対象物質と抗体との結合体に結合していない標識抗体液９３の成分を除去する。基質溶液９５は、第二洗浄液９４によって洗浄された後の抗体に接触し、酵素標識抗体と酵素反応する液体である。停止液９６は、基質溶液９５と混合される液体であり、酵素反応の進行を停止させる液体である。本実施形態では、後述する光学測定において、基質溶液９５が酵素反応することによって生じる蛍光物質又は呈色物質を検出して、検査対象物質を測定することができる。以下の説明においては、第一洗浄液９２、標識抗体液９３、第二洗浄液９４、基質溶液９５、及び停止液９６を総称する場合、又は、いずれかを特定しない場合、試薬９という。
【００３８】
検査液体保持部３１０は、検査チップ２の右上部に設けられている。注入路４８０は、検査液体保持部３１０の左上部から上方に延び、上辺部８１を貫通する。注入路４８０は、検査液体保持部３１０に検査液体９１が注入される部位である。第一洗浄液保持部３２０は、検査液体保持部３１０より下方向に位置する。注入路４９０は、第一洗浄液保持部３２０の左上部から上方に延び、上辺部８１を貫通する。注入路４９０は、第一洗浄液保持部３２０に第一洗浄液９２を注入する部位である。標識抗体液保持部３３０は、検査チップ２の左下部に設けられている。注入路５００は、標識抗体液保持部３３０の左上部から上方に延び、上辺部８１を貫通する。注入路５００は、標識抗体液保持部３３０に標識抗体液９３を注入する部位である。
【００３９】
第一洗浄液保持部３２０の右下方には、共通受け部３７０が設けられている。
共通受け部３７０は、上方に開口する凹部である。検査液体保持部３１０の右上部と第一洗浄液保持部３２０の右上部とは、下方に延びる流路６１０を介して共通受け部３７０に接続されている。
【００４０】
停止液保持部３６０は、検査チップ２の左上部に設けられている。注入路５３０は、停止液保持部３６０の左上部から上方に延び、上辺部８１を貫通する。注入路５３０は、停止液保持部３６０に停止液９６を注入する部位である。基質溶液保持部３５０は、停止液保持部３６０より下方に位置する。注入路５２０は、基質溶液保持部３５０の左上部から上方に延び、上辺部８１を貫通する。注入路５２０は、基質溶液保持部３５０に基質溶液９５を注入する部位である。
【００４１】
第二洗浄液保持部３４０は、基質溶液保持部３５０より下方に位置する。注入路５１０は、第二洗浄液保持部３４０の左上部から上方に延び、上辺部８１を貫通する。注入路５１０は、第二洗浄液保持部３４０に第二洗浄液９４を注入する部位である。標識抗体液保持部３３０は、基質溶液保持部３５０より下方に位置する。注入路５００は、標識抗体液保持部３３０の左上部から上方に延び、上辺部８１を貫通する。注入路５００は、標識抗体液保持部３３０に標識抗体液９３を注入する部位である。
【００４２】
検査液体保持部３１０を形成する壁面のうちの下流の壁面を第一壁面５０１という。第一洗浄液保持部３２０を形成する壁面のうちの下流の壁面を第二壁面５０２という。標識抗体液保持部３３０を形成する壁面のうちの下流の壁面を第三壁面５０３という。停止液保持部３６０を形成する壁面のうちの下流の壁面を第四壁面５０４という。基質溶液保持部３５０を形成する壁面のうちの下流の壁面を第五壁面５０５という。第二洗浄液保持部３４０を形成する壁面のうちの下流の壁面を第六壁面５０６という。
【００４３】
第一〜第六壁面５０１〜５０６の傾斜角を、夫々、Ｒ１、Ｒ２、Ｒ３、Ｒ４、Ｒ５、及びＲ６とする。図２においては、一例として、傾斜角Ｒ１〜Ｒ６を、第一〜第六壁面５０１〜５０６の夫々と第三方向とのなす角で示している。傾斜角Ｒ１〜Ｒ６は、以下の式（１）の関係を有する。
Ｒ３，Ｒ４，Ｒ５，Ｒ６＞Ｒ２＞Ｒ１    ・・・（１）
【００４４】
なお、図２においては、Ｒ３〜Ｒ６は、互いに同じ角度としているが、Ｒ３〜Ｒ６がＲ２より大きければ、Ｒ３〜Ｒ６が互いに異なる角度であってもよい。
【００４５】
第一受け部４５０は、停止液保持部３６０の右上部分から下方向に延びる流路である。第一受け部４５０は、右方に凹んでいる。第一受け部４５０の左下部は、基質溶液保持部３５０に接続されている。
【００４６】
第二受け部４６０は、基質溶液保持部３５０の右上部分から下方向に延びる流路である。第二受け部４６０は、右方に凹んでいる。第二受け部４６０の左下部は、第二洗浄液保持部３４０に接続されている。
【００４７】
第三受け部４７０は、第二洗浄液保持部３４０の右上部分から下方向に延びる流路である。第三受け部４７０は、右方に凹んでいる。第三受け部４７０の左下部は、標識抗体液保持部３３０に接続されている。
【００４８】
標識抗体液保持部３３０の右部は、右斜め上方に延び、その上端は、第一洗浄液保持部３２０の下側において右方に延びる。標識抗体液保持部３３０の右上部は、右方に延びる流路６２０を介して共通受け部３７０に接続されている。
【００４９】
共通受け部３７０の左下部は、反応部３８０に接続されている。第四受け部５５０は、反応部３８０の右上部分から下方向に延びる流路である。第四受け部５５０は、右方に凹んでいる。第四受け部５５０の左下部は、測定部３９０に接続されている。測定部３９０は、検査液体９１を含む液体が測定される部位である。測定部３９０の右上部は、廃液部７００に接続されている。測定部３９０から廃液部７００に流出させる試薬９を図５（Ｆ）等に示す廃液８５という。測定部３９０は、第二方向の端部である流出端部３９１から廃液８５を廃液部７００に流出させる。
【００５０】
図３を参照して、廃液部７００の概略構造について説明する。廃液部７００は、第一廃液部７１０、第二廃液部７２０、第三廃液部７３０、及び廃液保持部７４０を備えている。第一廃液部７１０は、流出端部３９１に接続され、第三方向に延びる。
【００５１】
第二廃液部７２０は、第一廃液部７１０の第四方向に配置されている。第二廃液部７２０における第二方向の端部７２２は、第一廃液部７１０における第三方向の端部７１６に接続されている。第二廃液部７２０は、測定部３９０より第三方向に位置し、第四方向に延びる。
【００５２】
第三廃液部７３０は、第二廃液部７２０の第四方向に配置されている。第三廃液部７３０の第三方向の端部７３６は、第二廃液部７２０における第四方向の端部７２９に接続されている。第三廃液部７３０は、第一方向に延びる。
【００５３】
廃液保持部７４０は、第三廃液部７３０の第二方向に配置されている。廃液保持部７４０の第一方向の端部７４２は、第三廃液部７３０の第一方向の端部７３７に接続されている。廃液保持部７４０は、第三方向に凹む。廃液保持部７４０の第三方向の端部７４１は、第二方向に延びる。端部７４１は、測定部３９０と第二廃液部７２０との間に位置している。
【００５４】
廃液部７００についてさらに詳細に説明する。第一廃液部７１０の第二方向の壁面７１４は、第三方向と平行である。測定部３９０と第一廃液部７１０との間の隔壁７１２は、右斜め上方に延びる。このため、隔壁７１２の第二方向の壁面７１１は、右斜め上方に延びる。よって、第一廃液部７１０は、第三方向に向かうほど、左右方向の幅が広くなる。
【００５５】
第一廃液部７１０、第二廃液部７２０、及び第三廃液部７３０の夫々における第三方向の壁面を壁面７５１という。壁面７５１は左右方向に延びる。第二廃液部７２０における第一方向の壁部であって、左右方向に延びる壁部を壁部７６０という。壁部７６０は、壁面７６１と壁面７６２とを備えている。壁面７６１は、壁面７１１の下端部に接続され、左斜め下方に延びる。壁面７６２は、壁面７６１の左端部に接続され、第四方向に延びる。
【００５６】
壁部７６０は、第四方向の端部に突出部７２１を備えている。突出部７２１は、第三廃液部７３０と廃液保持部７４０との間の隔壁７３２より第四方向に突出する。突出部７２１の第四方向の先端は、円弧状の丸みを有している。隔壁７３２は、突出部７２１の先端とは反対側の基端から右斜め上方に延びる。
【００５７】
第二廃液部７２０と第三廃液部７３０との接続部を第一接続部７３３という。第一接続部７３３には、第一段差部７２７が設けられている。図４に示すように、第一段差部７２７は、深さ方向における第三廃液部７３０の深さＤ３を、第二廃液部７２０の深さＤ２より深くする。
【００５８】
図４に示すように、第一段差部７２７の前端は、稜線７２８である。図３に示すように、稜線７２８は、壁部７６０の第四方向の先端７２６から、第四方向に傾斜しつつ、第三方向に延びる
【００５９】
図３に示すように、第一廃液部７１０と第二廃液部７２０との接続部を第二接続部７１５という。第二接続部７１５には、第二段差部７２３が設けられている。図４に示すように、第二段差部７２３は、深さ方向における深さを、第四方向に向かうほど浅くする。すなわち、第二段差部７２３は、左斜め前方に延びる傾斜部である。また、第二廃液部７２０の深さ方向の深さＤ２は、第一廃液部７１９の深さ方向の深さＤ１より浅い。
【００６０】
第二段差部７２３の第二方向の端部を第一段差端部７２４という。図３に示すように、第一段差端部７２４の第二方向における位置は、隔壁７１２における第二方向の端部７１３の位置より第四方向に位置する。第一段差端部７２４の第二方向における位置は、壁面７６１の第二方向の端部の位置である。第二段差部７２３の第四方向の端部を第二段差端部７２５という。第二段差端部７２５の第二方向における位置は、壁面７６１の第四方向の端部の位置である。
【００６１】
図３に示すように、第二廃液部７２０の上下方向の流路の長さＬ２は、第一廃液部７１０の左右方向の流路の長さＬ１より短く、第三廃液部７３０の左右方向の流路の長さＬ３より短い。なお、図３においては、一例として、第一廃液部７１０における端部７１３と壁面７１４との間の長さを、長さＬ１としている。一例として、第三廃液部７３０における突出部７２１より上側の部位の左右方向の長さを、長さＬ３としている。一例として、第二廃液部７２０における壁面７６２と壁面７５１との間の長さを、長さＬ２としている。
【００６２】
＜５．検査チップ２のその他構造＞
図１に示すように、Ｌ型プレート６０から延びる支軸４６は、図示外の装着用ホルダを介して板材１９の後面中央に垂直に連結される。支軸４６の回転に伴って、検査チップ２が支軸４６を中心に自転する。検査チップ２は図２に示す定常状態である場合、上辺部８１及び下辺部８４が重力Ｇの方向と直交し、右辺部８２及び左辺部８３が重力Ｇの方向と平行、且つ、左辺部８３が右辺部８２よりも主軸５７側に配置される。定常状態の検査チップ２が測定位置に配置されている状態において、光源７１と光センサ７２とを結ぶ測定光を測定部３９０に通過させることで、検査装置１は光学測定による検査を行う。
【００６３】
＜６．検査方法の一例＞
検査装置１及び検査チップ２を用いた検査方法について説明する。図２に示すように、注入路５３０を介して、停止液保持部３６０に停止液９６が注入される。注入路５２０を介して、基質溶液保持部３５０に基質溶液９５が注入される。注入路５１０を介して、第二洗浄液保持部３４０に第二洗浄液９４が注入される。注入路５００を介して、標識抗体液保持部３３０に標識抗体液９３が注入される。注入路４９０を介して、第一洗浄液保持部３２０に第一洗浄液９２が注入される。注入路４８０を介して、検査液体保持部３１０に検査液体９１が注入される。
【００６４】
試薬９の配置方法は限定されない。例えば、シート２９１における保持部３１０，３２０，３３０，３４０，３５０，３６０に対応する位置に穴が開いており、ユーザが穴から試薬９を注入し、さらにシールをして封止してもよい。また、予め試薬９が保持部３２０，３３０，３４０，３５０，３６０に配置されて、シート２９１によって封止されていてもよい。この場合、シート２９１における検査液体保持部３１０に対応する位置に穴が開いており、ユーザが穴から検査液体９１を注入し、さらにシールをして封止してもよい。
【００６５】
ユーザは検査チップ２を図示外の装着用ホルダに取り付けて、図１に示す操作部１０４から処理開始のコマンドを入力する。これによって、ＣＰＵ１０１は、ＲＯＭ１０３に記憶されている制御プログラムに基づいて、遠心処理を実行する。尚、検査装置１は二つの検査チップ２を同時に検査可能であるが、以下では説明の便宜のため、一つの検査チップ２を検査する手順を説明する。また、図２に示す検査チップ２の定常状態を自転角度０度といい、定常状態から９０度反時計回りに回転した状態を自転角度９０度という。また、図５（Ａ）に示す第一壁面５０１に垂直な方向に遠心力Ｘが作用する場合の検査チップ２の自転角度を第一自転角度という。図５（Ｃ）に示す第二壁面５０２に垂直な方向に遠心力Ｘが作用する場合の検査チップ２の自転角度を第二自転角度という。図７（Ｍ）に示す第七壁面５０７に垂直な方向に遠心力Ｘが作用する場合の検査チップ２の自転角度を第三自転角度という。第七壁面５０７は、図２に示す反応部３８０を形成する壁面のうちの下流の壁面である。
【００６６】
ＣＰＵ１０１が検査チップ２を自転角度０度、第一自転角度、第二自転角度、又は第三自転角度から９０度に回転させる場合、及び、自転角度０度から第一自転角度に回転させる場合、検査チップ２は、前方から見て反時計回りに回転する。また、ＣＰＵ１０１が検査チップ２を自転角度９０度から、０度、第二自転角度、又は第三自転角度に回転させる場合、検査チップ２は、前方から見て時計回りに回転する。
【００６７】
ＣＰＵ１０１は、ＨＤＤ１０５に予め記憶されているモータの駆動情報を読み込み、公転コントローラ９７に主軸モータ３５の駆動情報をセットし、自転コントローラ９８にステッピングモータ５１の駆動情報をセットする。このとき、検査チップ２は図２に示すように、定常状態であり自転角度０度である。次いで、図１に示すＣＰＵ１０１が公転コントローラ９７を制御し、主軸モータ３５の駆動を開始する。この結果、検査チップ２の公転が開始される。また、ＣＰＵ１０１は自転コントローラ９８を制御し、ステッピングモータ５１を駆動する。そして、ＣＰＵ１０１は図５（Ａ）に示す第一自転角度まで検査チップ２を回転させる。主軸モータ３５は、公転コントローラ９７の指示に基づき、ターンテーブル３３の回転速度を速度Ｖに上げる。速度Ｖは、例えば３０００ｒｐｍである。この速度Ｖでターンテーブル３３が回転されると、検査チップ２に、数百Ｇほどの遠心力Ｘが作用する。以下の説明においては、ターンテーブル３３の回転速度は速度Ｖで一定であるとするが、速度Ｖの値が遠心処理の途中で変更されてもよい。
【００６８】
ＣＰＵ１０１は主軸モータ３５の回転速度を速度Ｖに保持する。図５（Ａ）に示すように、第一壁面５０１に垂直な方向に向けて、検査チップ２に遠心力Ｘが作用する。遠心力Ｘの作用によって、検査液体９１が検査液体保持部３１０から、流路６１０を介して共通受け部３７０に移動する。なお、上記式（１）の関係を有するので、第一洗浄液９２、標識抗体液９３、第二洗浄液９４、基質溶液９５、及び停止液９６は、夫々、第一洗浄液保持部３２０、標識抗体液保持部３３０、第二洗浄液保持部３４０、基質溶液保持部３５０、及び停止液保持部３６０に保持される。
【００６９】
ＣＰＵ１０１は自転コントローラ９８を制御し、ステッピングモータ５１を駆動する。図５（Ｂ）に示すように、ＣＰＵ１０１は、自転角度９０度まで検査チップ２を回転させる。上辺部８１から下辺部８４に向けて、検査チップ２に遠心力Ｘが作用する。遠心力Ｘの作用によって、検査液体９１が共通受け部３７０から反応部３８０に移動する。検査液体９１が反応部３８０に移動すると、固相化された抗体に、検査液体９１に含まれる検査対象物質が結合する。
【００７０】
ＣＰＵ１０１は自転コントローラ９８を制御し、ステッピングモータ５１を駆動する。図５（Ｃ）に示すように、ＣＰＵ１０１は、第二自転角度まで検査チップ２を回転させる。第二壁面５０２に垂直な方向に向けて、検査チップ２に遠心力Ｘが作用する。遠心力Ｘの作用によって、第一洗浄液９２が第一洗浄液保持部３２０から、流路６１０を介して共通受け部３７０に移動する。また、検査液体９１は、反応部３８０から第四受け部５５０に移動する。なお、上記式（１）の関係を有するので、標識抗体液９３、第二洗浄液９４、基質溶液９５、及び停止液９６は、夫々、標識抗体液保持部３３０、第二洗浄液保持部３４０、基質溶液保持部３５０、及び停止液保持部３６０に保持される。
【００７１】
ＣＰＵ１０１は自転コントローラ９８を制御し、ステッピングモータ５１を駆動する。図５（Ｄ）に示すように、ＣＰＵ１０１は、自転角度９０度まで検査チップ２を回転させる。上辺部８１から下辺部８４に向けて、検査チップ２に遠心力Ｘが作用する。遠心力Ｘの作用によって、第一洗浄液９２が共通受け部３７０から反応部３８０に移動する。第一洗浄液９２は、反応部３８０において、抗体に結合していない検査液体９１の成分を除去する。また、検査液体９１は、第四受け部５５０から測定部３９０に移動する。
【００７２】
ＣＰＵ１０１は自転コントローラ９８を制御し、ステッピングモータ５１を駆動する。図５（Ｅ）に示すように、ＣＰＵ１０１は、自転角度０度まで検査チップ２を回転させる。左辺部８３から右辺部８２に向けて、検査チップ２に遠心力Ｘが作用する。遠心力Ｘの作用によって、第一洗浄液９２、第二洗浄液９４、基質溶液９５、及び停止液９６は、夫々、第四受け部５５０、第三受け部４７０、第二受け部４６０、及び第一受け部４５０に移動する。また、標識抗体液９３は、標識抗体液保持部３３０から共通受け部３７０の右部と流路６１０とに移動する。以下の説明においては、試薬９が標識抗体液保持部３３０から共通受け部３７０の右部と流路６１０とに移動する場合、標識抗体液保持部３３０から共通受け部３７０に移動するという。また、検査液体９１は、廃液８５として、測定部３９０から第一廃液部７１０に移動する。このとき、廃液８５は、第一廃液部７１０の右部に位置している。
【００７３】
ＣＰＵ１０１は自転コントローラ９８を制御し、ステッピングモータ５１を駆動する。図５（Ｆ）に示すように、ＣＰＵ１０１は、自転角度９０度まで検査チップ２を回転させる。上辺部８１から下辺部８４に向けて、検査チップ２に遠心力Ｘが作用する。遠心力Ｘの作用によって、第一洗浄液９２、標識抗体液９３、第二洗浄液９４、基質溶液９５、及び停止液９６は、夫々、測定部３９０、反応部３８０、標識抗体液保持部３３０、第二洗浄液保持部３４０、及び基質溶液保持部３５０に移動する。標識抗体液９３が反応部３８０に移動するので、検査対象物質と抗体との結合体に酵素標識抗体が特異的に結合する。
【００７４】
また、廃液８５は、第一廃液部７１０において第三方向に移動し、第二廃液部７２０を第四方向に移動し、第三廃液部７３０に到達する。この結果、図３及び図５（Ｆ）に示すように、廃液８５は、第一廃液部７１０の下部、第二廃液部７２０、及び第三廃液部７３０の下部に位置する。なお、図３においては、第一廃液部７１０における廃液８５の液面８５２と、第三廃液部７３０における廃液８５の液面８５１とを図示している。液面８５１は、先端７２６よりも第一方向に位置する。
【００７５】
ＣＰＵ１０１は自転コントローラ９８を制御し、ステッピングモータ５１を駆動する。図６（Ｇ）に示すように、ＣＰＵ１０１は、自転角度０度まで検査チップ２を回転させる。左辺部８３から右辺部８２に向けて、検査チップ２に遠心力Ｘが作用する。遠心力Ｘの作用によって、標識抗体液９３、第二洗浄液９４、基質溶液９５、及び停止液９６は、夫々、第四受け部５５０、共通受け部３７０、第三受け部４７０、及び第二受け部４６０に移動する。
【００７６】
また、図３の矢印８５５に示すように、遠心力Ｘの作用によって、第三廃液部７３０における少なくとも一部の廃液８５が、隔壁７３２に沿って移動し、廃液保持部７４０に移動する。また、図６（Ｇ）に示すように、廃液保持部７４０に移動した廃液８５以外の廃液８５は、第一廃液部７１０の右部に移動する。すなわち、第三廃液部７３０における少なくとも一部の廃液８５が第一廃液部７１０に戻らずに、廃液保持部７４０に移動し、保持される。このため、第一廃液部７１０に残る廃液８５の量が減る。第一廃液部７１０に残った廃液８５に加えて、測定部３９０から第一洗浄液９２、即ち新たな廃液８５が第一廃液部７１０に移動する。
【００７７】
ＣＰＵ１０１は自転コントローラ９８を制御し、ステッピングモータ５１を駆動する。図６（Ｈ）に示すように、ＣＰＵ１０１は、自転角度９０度まで検査チップ２を回転させる。上辺部８１から下辺部８４に向けて、検査チップ２に遠心力Ｘが作用する。遠心力Ｘの作用によって、標識抗体液９３、第二洗浄液９４、基質溶液９５、及び停止液９６は、夫々、測定部３９０、反応部３８０、標識抗体液保持部３３０、及び第二洗浄液保持部３４０に移動する。第二洗浄液９４によって、反応部３８０の洗浄が行われる。また、図３及び図５（Ｆ）に示す場合と同様に、廃液８５は、第一廃液部７１０の下部、第二廃液部７２０、及び第三廃液部７３０の下部に移動する。
【００７８】
ＣＰＵ１０１は自転コントローラ９８を制御し、ステッピングモータ５１を駆動する。図６（Ｉ）に示すように、ＣＰＵ１０１は、自転角度０度まで検査チップ２を回転させる。左辺部８３から右辺部８２に向けて、検査チップ２に遠心力Ｘが作用する。遠心力Ｘの作用によって、第二洗浄液９４、基質溶液９５、及び停止液９６は、夫々、第四受け部５５０、共通受け部３７０、及び第三受け部４７０に移動する。
【００７９】
また、図３の矢印８５５、及び図６（Ｇ）に示す場合と同様に、第三廃液部７３０における少なくとも一部の廃液８５が第一廃液部７１０に戻らずに、廃液保持部７４０に移動し、保持される。このため、第一廃液部７１０に残る廃液８５の量が減る。第一廃液部７１０に残った廃液８５に加えて、測定部３９０から標識抗体液９３、即ち新たな廃液８５が第一廃液部７１０に移動する。
【００８０】
ＣＰＵ１０１は自転コントローラ９８を制御し、ステッピングモータ５１を駆動する。図６（Ｊ）に示すように、ＣＰＵ１０１は、自転角度９０度まで検査チップ２を回転させる。上辺部８１から下辺部８４に向けて、検査チップ２に遠心力Ｘが作用する。遠心力Ｘの作用によって、第二洗浄液９４、基質溶液９５、及び停止液９６は、夫々、測定部３９０、反応部３８０、及び標識抗体液保持部３３０に移動する。基質溶液９５は、第二洗浄液９４によって洗浄された反応部３８０において、酵素標識抗体と酵素反応する。また、図３、図５（Ｆ）、及び図６（Ｈ）に示す場合と同様に、廃液８５は、第一廃液部７１０の下部、第二廃液部７２０、及び第三廃液部７３０の下部に移動する。
【００８１】
ＣＰＵ１０１は自転コントローラ９８を制御し、ステッピングモータ５１を駆動する。図６（Ｋ）に示すように、ＣＰＵ１０１は、自転角度０度まで検査チップ２を回転させる。左辺部８３から右辺部８２に向けて、検査チップ２に遠心力Ｘが作用する。遠心力Ｘの作用によって、基質溶液９５及び停止液９６は、夫々、反応部３８０及び標識抗体液保持部３３０から、第四受け部５５０及び共通受け部３７０に移動する。また、図３の矢印８５５、図６（Ｇ）、及び図６（Ｉ）に示す場合と同様に、第三廃液部７３０における少なくとも一部の廃液８５が第一廃液部７１０に戻らずに、廃液保持部７４０に移動し、保持される。このため、第一廃液部７１０に残る廃液８５の量が減る。第一廃液部７１０に残った廃液８５に加えて、測定部３９０から第二洗浄液９４、即ち新たな廃液８５が第一廃液部７１０に移動する。
【００８２】
ＣＰＵ１０１は自転コントローラ９８を制御し、ステッピングモータ５１を駆動する。図６（Ｌ）に示すように、ＣＰＵ１０１は、自転角度９０度まで検査チップ２を回転させる。上辺部８１から下辺部８４に向けて、検査チップ２に遠心力Ｘが作用する。遠心力Ｘの作用によって、基質溶液９５及び停止液９６は、夫々、測定部３９０及び反応部３８０に移動する。また、図３、図５（Ｆ）、図６（Ｈ）、及び図６（Ｊ）に示す場合と同様に、廃液８５は、第一廃液部７１０の下部、第二廃液部７２０、及び第三廃液部７３０の下部に移動する。
【００８３】
ＣＰＵ１０１は自転コントローラ９８を制御し、ステッピングモータ５１を駆動する。図７（Ｍ）に示すように、ＣＰＵ１０１は、第三自転角度まで検査チップ２を回転させる。第七壁面５０７に垂直な方向に向けて、検査チップ２に遠心力Ｘが作用する。遠心力Ｘの作用によって、停止液９６が反応部３８０から第四受け部５５０に移動する。基質溶液９５は測定部３９０に保持される。
【００８４】
ＣＰＵ１０１は自転コントローラ９８を制御し、ステッピングモータ５１を駆動する。図７（Ｎ）に示すように、ＣＰＵ１０１は、自転角度９０度まで検査チップ２を回転させる。上辺部８１から下辺部８４に向けて、検査チップ２に遠心力Ｘが作用する。遠心力Ｘの作用によって、停止液９６は、測定部３９０に移動する。測定部３９０において基質溶液９５に停止液９６が混合され、基質溶液９５の酵素反応の進行が停止する。以下の説明では、停止液９６が混合された基質溶液９５を、測定溶液９２１という。
【００８５】
ＣＰＵ１０１は自転コントローラ９８を制御し、ステッピングモータ５１を駆動する。ＣＰＵ１０１は、自転角度０度まで検査チップ２を回転させる。また、ＣＰＵ１０１は公転コントローラ９７を制御し、主軸モータ３５の回転を停止する。故に、検査チップ２の公転が終了する。遠心処理は終了される。図７（Ｏ）に示すように、検査チップ２には、上辺部８１から下辺部８４に向けて重力Ｇが作用する。
【００８６】
遠心処理の実行後、ＣＰＵ１０１は公転コントローラ９７を制御し、検査チップ２を測定位置の角度まで回転移動させる。測定部３９０には、検査液体９１が使用された測定溶液９２１が保持されている。図１に示す測定コントローラ９９は光源７１を発光させ、測定光を測定部３９０に保持された測定溶液９２１に透過させる。ＣＰＵ１０１は、光センサ７２が受光した測定光の変化量に基づいて、測定部３９０に保持された測定溶液９２１の光学測定を行い、測定データを取得する。ＣＰＵ１０１は、検査液体９１が使用されて生成された測定溶液９２１の測定結果を算出する。ＣＰＵ１０１は、検査結果を図１に示すディスプレイ１０６に表示する。なお、測定溶液９２１の測定方法は、光学測定に限られず、他の方法でもよい。
【００８７】
＜７．本実施形態の主たる作用・効果＞
以上のように本実施形態における測定が実行される。本実施形態においては、図５（Ｅ）、図６（Ｇ）、図６（Ｉ）、及び図６（Ｋ）に示すように、検査チップ２に対して左辺部８３から右辺部８２に向けて、即ち第二方向に遠心力が作用すると、測定部３９０から第一廃液部７１０に廃液８５が流れる。次いで、ＣＰＵ１０１は、例えば、第一方向に開口した測定部３９０に新たな試薬９を流入させるために、検査チップ２に対して上辺部８１から下辺部８４に向けて、即ち第三方向に遠心力を作用させる。図３、図５（Ｆ）、図６（Ｈ）、図６（Ｊ）、及び図６（Ｌ）に示すように、第一廃液部７１０の廃液８５が第三方向に移動し、さらに第二廃液部７２０を通って第四方向に移動し、第三廃液部７３０に到達する。そして、検査チップ２に対して第二方向に遠心力が作用すると、図３の矢印８５５、図６（Ｇ）、図６（Ｉ）、及び図６（Ｋ）に示すように、少なくとも一部の第三廃液部７３０の廃液８５が第一廃液部７１０に戻らずに、廃液保持部７４０に移動し、保持される。このため、第一廃液部７１０に残る廃液８５の量が減る。よって、第一〜第三廃液部７１０，７２０，７３０を介して測定部３９０と廃液保持部７４０とが接続されていない検査チップよりも、廃液８５が測定部３９０に逆流し難い。より詳細には、第一廃液部７１０に残る廃液８５の量が減るので、図６（Ｇ）、図６（Ｉ）、及び図６（Ｋ）に示すように、測定部３９０から新たに廃液８５が第一廃液部７１０に流れる場合に、第一廃液部７１０の廃液８５が測定部３９０に逆流し難い。また、図７（Ｏ）に示すように、測定が行われるために遠心力Ｘが作用していない場合、遠心力Ｘによって廃液８５が廃液部７００の第三方向の図３に示す壁面７５１に押し付けられる場合に比べて、廃液８５が移動し易い。しかし、第一廃液部７１０の廃液８５の量が減るので、第一廃液部７１０の廃液８５が測定部３９０に逆流し難い。故に、廃液８５が測定部３９０に逆流して検査精度が低下する可能性を低減できる。
【００８８】
また、検査チップ２には、突出部７２１が設けられているので、突出部７２１が設けられていない場合よりも、第三方向に遠心力が作用した場合に、図３に示す第三廃液部７３０における廃液８５の液面８５１の位置が第一方向に移動する。この結果、検査チップ２に第二方向の遠心力が作用するときに、図３の矢印８５５、図６（Ｇ）、図６（Ｉ）、及び図６（Ｋ）に示すように、第一廃液部７１０に戻らずに、廃液保持部７４０に流入する廃液８５が増える。このため、突出部７２１が設けられていない場合に比べて、第一廃液部７１０に残る廃液８５の量が減る。よって、廃液８５が、第一廃液部７１０から測定部３９０に逆流し難い。故に、廃液８５が測定部３９０に逆流して検査精度が低下する可能性を低減できる。
【００８９】
また、図３及び図４に示すように、検査チップ２には第一段差部７２７が設けられている。このため、第一段差部７２７が設けられていない場合に比べて、第二廃液部７２０に位置する廃液８５の量が少なくなり、第三廃液部７３０に位置する廃液８５の量が多くなる。よって、第一段差部７２７が設けられていない場合に比べて、検査チップ２に第二方向の遠心力が作用するときに、第一廃液部７１０に戻らずに、廃液保持部７４０に流入する廃液８５が増える。このため、第一段差部７２７が設けられていない場合に比べて、第一廃液部７１０に残る廃液８５の量が減る。よって、廃液８５が、第一廃液部７１０から測定部３９０に逆流し難い。故に、廃液８５が測定部３９０に逆流して検査精度が低下する可能性を低減できる。
【００９０】
また、図３に示すように、第一段差部７２７の稜線７２８は、先端７２６から第四方向に傾斜しつつ第三方向に延びる。このため、第一段差部７２７の稜線７２８が傾斜しない場合に比べて、第二廃液部７２０を第四方向に流れる廃液が、傾斜する第一段差部７２７に導かれて第三廃液部７３０に移動し易い。よって、第三廃液部７３０から廃液保持部７４０に移動する廃液８５の量が多くなり、第一廃液部７１０に残る廃液８５の量が減る。故に、廃液８５が、第一廃液部７１０から測定部３９０に逆流し難い。よって、廃液８５が測定部３９０に逆流して検査精度が低下する可能性を低減できる。
【００９１】
また、図３及び図４に示すように、検査チップ２には、第二段差部７２３が設けられているので、第二段差部７２３が設けられていない場合に比べて、第二廃液部７２０の深さを浅くすることができる。よって、第二廃液部７２０に位置する廃液８５の量が少なくなり、第三廃液部７３０に位置する廃液８５の量が多くなる。このため、廃液保持部７４０に移動する廃液８５の量が増え、第一廃液部７１０に残る廃液８５の量が減る。よって、廃液８５が、第一廃液部７１０から測定部３９０に逆流し難く、廃液８５が測定部３９０に逆流して検査精度が低下する可能性を低減できる。
【００９２】
また、第二段差部７２３が設けられていない場合に比べて、第一廃液部７１０から第三廃液部７３０に向かう廃液８５が移動し易い。よって、第二段差部７２３が設けられていない場合に比べて、第三廃液部７３０に位置する廃液８５の量を多くできる可能性が高くなる。このため、廃液保持部７４０に移動する廃液８５の量が増え、第一廃液部７１０に残る廃液８５の量が減る。よって、廃液８５が、第一廃液部７１０から測定部３９０に逆流し難く、廃液８５が測定部３９０に逆流して検査精度が低下する可能性を低減できる。
【００９３】
また、図３に示すように、第一段差端部７２４の位置が、隔壁７１２における第二方向の端部７１３の位置より第三方向である。このため、第一段差端部７２４の位置が、隔壁７１２における第二方向の端部７１３の位置より第二方向である場合に比べて、第一廃液部７１０の容量を増やすことができる。よって、廃液８５が、第一廃液部７１０から測定部３９０に逆流し難く、廃液８５が測定部３９０に逆流して検査精度が低下する可能性を低減できる。
【００９４】
また、図３に示す第二廃液部７２０の上下方向の流路の長さＬ２は、第三廃液部７３０の左右方向の流路の長さＬ３より短く、図４に示す第二廃液部７２０の深さ方向の深さＤ２は、第三廃液部７３０の深さ方向の深さＤ３より浅い。このため、長さＬ２が長さＬ３より長く、深さＤ２が深さＤ３より深い場合に比べて、第二廃液部７２０に位置する廃液８５の量が少なくなり、第三廃液部７３０に位置する廃液８５の量が多くなる。よって、検査チップ２に第二方向の遠心力が作用するときに、第一廃液部７１０に戻らずに、廃液保持部７４０に流入する廃液８５が増え、第一廃液部７１０に残る廃液８５の量が減る。よって、廃液８５が、第一廃液部７１０から測定部３９０に逆流し難い。故に、廃液８５が測定部３９０に逆流して検査精度が低下する可能性を低減できる。
【００９５】
また、図３に示す第二廃液部７２０の上下方向の流路の長さＬ２は、第一廃液部７１０の左右方向の流路の長さＬ１より短く、図４に示す第二廃液部７２０の深さ方向の深さＤ２は、第一廃液部７１０の深さ方向の深さＤ１より浅い。このため、長さＬ２が長さＬ１より長く、深さＤ２が深さＤ１より深い場合に比べて、第一廃液部７１０の容量が増え、廃液８５が、第一廃液部７１０から測定部３９０に逆流し難い。故に、廃液８５が測定部３９０に逆流して検査精度が低下する可能性を低減できる。
【００９６】
上記実施形態において、第一段差端部７２４は本発明の段差端部の一例である。隔壁７３２は本発明の第一隔壁の一例である。隔壁７１２は、本発明の第二隔壁の一例である。
【００９７】
尚、本発明は上記の実施形態に限定されるものではなく、種々の変更が可能である。例えば、左右方向において、図３に示す第二段差部７２３の第一段差端部７２４の位置は、隔壁７１２における第二方向の端部７１３と同じ位置、又は、隔壁７１２より第二方向の位置であってもよい。また、第二段差部７２３が設けられず、第一廃液部７１０と第二廃液部７２０とが同じ深さであってもよい。
【００９８】
また、第一段差部７２７の稜線７２８の向きは限定されず、例えば、第三方向に延びてもよい。また、第一段差部７２７が設けられず、第二廃液部７２０と第三廃液部７３０とが同じ深さであってもよい。また、突出部７２１が設けられなくてもよい。
【００９９】
また、図７（Ｎ）に示すように、測定部３９０において基質溶液９５に停止液９６が混合されていたが、測定部３９０よりも上流側で混合される構成にしてもよい。
【符号の説明】
【０１００】
２    検査チップ
８５    廃液
３９０    測定部
３９１    流出端部
７００    廃液部
７１０    第一廃液部
７１２    隔壁
７１３    端部
７１５    第二接続部
７２０    第二廃液部
７２１    突出部
７２３    第二段差部
７２４    第一段差端部
７２６    先端
７２７    第一段差部
７２８    稜線
７３０    第三廃液部
７３２    隔壁
７３３    第一接続部
７４０    廃液保持部
７６０    壁部
【図１】
2016194448.tif 000003
【図２】
2016194448.tif 000004
【図３】
2016194448.tif 000005
【図４】
2016194448.tif 000006
【図５】
2016194448.tif 000007
【図６】
2016194448.tif 000008
【図７】
2016194448.tif 000009